(57)【要約】      （修正有） 【課題】主として人力による回転体による非接地移動方法および移動体を提供する。【解決手段】系１において、出力発生具７からチェン等の伝達具６により回転出力具５を介して一対の回転駆動体３に互いに逆方向に加力することにより、互いの反作用を相殺して、地面等の対象と無関係に自己移動可能としたことを特徴とする。【選択図】図１
2007099255.tif 000002
【特許請求の範囲】
【請求項１】
系（１）に設けられた取り付け穴（２）に互いに逆転状態に設置された回転体よりなる駆動体（３）の中心軸（４）が設置されており、ギアー等の回転出力具（５）によりチエン等の伝達具（６）により、中央のギアー等の出力発生具（７）からの出力を受けて互いに逆転する。
進行方向である前方には、系（１）に自在継ぎ手（８）を介して、後輪同様に互いに逆転する駆動体（３）が設置され上部にハンドル（９）を設けて出力発生具（７）からの出力を受けて互いに逆転する。
駆動体（３）の適宜位置に加力点（１０）が設けてあり、主として進行方向で駆動体（３）が互いに公転すべく適宜高さの受け部（１１）が設置され、受け部（１１）と系（１）は復帰具（１２）により連結されている。
図中（１３）は自由転がり車輪、（１４）は席を表す。
進行するに際して、席（１４）に座して主として無重量状態では結束具（１５）を締めて、足にて出力発生具（７）を回転すると駆動体（３）は伝達具（６）等により互いに逆転すると加力点（１０）が受け部（１１）を介して、あるいは介さずに互いに当たり、反作用を相殺して加力点（１０）を仮の支点として公転して進行を得、復帰具（１２）により自転域に復帰して繰り返す。
握ったハンドル（９）は自在継ぎ手（８）により左右上下に回動して無重量域ではその方向をきめ、重力域では主として左右方向をきめる構造および方法の、主として人力による回転体による非接地移動方法８および移動体。
【請求項２】
回転体移動の直角法を対抗した相殺法による移動において、自転車等の系に対の駆動体を設置して互いに逆転する駆動体を形成して、主として逆転部位に互いに逆転方向に、系に搭載した人力により、あるいは動力の原動力により加力して、生ずる反作用を相殺して駆動体である回転体が接地しないで求める方向に地面等対象を蹴る等の関係なく移動する構造および方法の請求項１および請求項２の主として人力による回転体による非接地移動方法８および移動体。
【請求項３】
相殺法よりなる対の駆動体を直角に系に設置して直線移動する構造および方法の請求項１および請求項２および請求項３の主として人力による回転体による非接地移動方法８および移動体。
【請求項４】
直角法を互いに逆転して対抗して相殺法を形成して、相殺法により重力圏内外の移動が可能な構造および方法の請求項１および請求項２および請求項３および請求項４の主として人力による回転体による非接地移動方法８および移動体。
【発明の詳細な説明】
【技術分野】
【０００１】  主として人力あるいは動力を加えてあるいは動力で移動に供する自転車等移動体（主として人力あるいは動力を加えてあるいは動力で移動に供する自転車等移動体を以下移動体と称す）において、主として人力による回転体による非接地移動方法８および移動体に関する。
【背景技術】
【０００２】  従来移動体の移動は、古来よりの法則の通り、直線の作用反作用（以下直線法と称す）により、地面に駆動体である車輪を接して車輪で地面を蹴って移動している。
【特許文献１】    特願平５−１５０２２０
【非特許文献１】    ＧｏｏＢｉｋｅープロトコーポレーション
【発明の開示】
【発明が解決しようとする課題】
【０００３】  そのために軟弱な地面、氷上等では車輪が滑って空転して移動不可能であった。
【課題を解決するための手段】  回転体の移動には前述の、古来よりの直線法のほかに、回転体への加力を中心軸以外の、逆転部位の主として水平部位に垂直に加力して、作用に対して反作用が直線でなく直角に表れる直角法の発見利用により解決する。
【発明の効果】
【０００４】  直線法でなければ物体の移動はあり得ないものとして学び、重力による地面との摩擦により地面を蹴って進行する以外の方法はないものとされてきたものが、地面を蹴る事なく、進行が可能となる利点は回転力によるジャイロ効果による転倒の防止等の安全性の向上、滑りやすい地面の走行等の利点が得られる。
【発明を実施するための最良の形態】
【０００５】  回転体の移動の直角法による移動において、互いに逆転する回転体を形成して主として逆転部位に互いに逆転方向に加力して、生ずる反作用を相殺する相殺法により駆動体である回転体が接地しないで移動する。
【実施例１】
【０００６】  系１に設けられた取り付け穴２に互いに逆転状態に設置された回転体よりなる駆動体３の中心軸４が設置されており、ギアー等の回転出力具５によりチエン等の伝達具６により、中央のギアー等の出力発生具７からの出力を受けて互いに逆転する。
進行方向である前方には、系１に自在継ぎ手８を介して、後輪同様に互いに逆転する駆動体３が設置され上部にハンドル９を設けて出力発生具７からの出力を受けて互いに逆転する。【０００７】  駆動体３の適宜位置に加力点が設けてあり、主として進行方向で駆動体３が互いに公転すべく適宜高さの受け部１１が設置され、受け部１１と系１は復帰具１２により連結されている。
図中１３は自由転がり車輪、１４は席、１５は主として人体の結束具を表す。
進行するに際して、席１４に座して主として無重量状態では結束具１５を締めて、足にて出力発生具７を回転すると駆動体３は伝達具６等により互いに逆転すると加力点１０が受け部１１を介して、あるいは介さずに互いに当たり、反作用を相殺して加力点１０を仮の支点として公転して進行を得、復帰具１２により自転域に復帰して繰り返す。
握ったハンドル９は自在継ぎ手８により左右上下に回転して無重量域ではその方向をきめ、重力域では主として左右方向をきめる構造および方法の、主として人力による回転体による非接地移動方法８および移動体である。
実施例においては主として人力にての移動を述べているが、宇宙においては加力の累積が可能であり発電機等により主として人力で動力を発生して電力により駆動体を回転して、あるいは電動機、内燃機関、ロケット等在来機関を搭載して、出力を増して重力域、無重量域の区別なく移動を得るとともに、地上においては重力に抗して移動する必要はなく、地上等対象との関係がなくそのものが移動する自己移動であるから、抵抗の少ない大きめの自由転がり車輪により水上、氷上の区別なく移動も可能となり、出力を増すことにより対の後輪も前輪同様に上下角変化が可能とすることにより浮上移動も可能となる。【０００８】  また本実施例では横型の回転体の逆転状態で説明しているが、積層して逆転しても同様効果である。
これを要するに、回転体移動の直角法を対抗した相殺法による移動において、自転車等の系に対の駆動体を設置して互いに逆転する駆動体を形成して、主として逆転部位に互いに逆転方向に系に搭載した人力により、あるいは動力の原動力により加力して、生ずる反作用を相殺する相殺法により駆動体である回転体が接地しないで求める方向に地面等対象を蹴る等の関係なく移動する構造および方法の、主として人力による回転体による非接地移動方法８および移動体である。
【産業上の利用可能性】
【０００９】  周囲、地面等と関係なく回転体そのものが移動する自己移動であるから、地上においては重力に抗する縦方向移動とすれば、抗力は毎秒約１０ｍ／秒であるから、時速約４０Ｋｍに相当するのでそれと等しい出力で重力はゼロとなり、それ以上の出力を増すことにより重力に抗して周囲と関係なく浮上して移動点間を最短距離で移動可能となり、移動する道路等の負担が少なくなり、あるいは全く不要となる。  また本実施例は対の回転体が直角となった、真正の直線移動ができる形態であり、無重量空間でも地上同様ジャイロ効果による安定した移動ができる。
【図面の簡単な説明】
【００１０】
【図１】  全景斜面図
【符号の説明】
【００１１】    １    系
２    取り付け穴
３    駆動体
４    中心軸
５    回転出力具
６    伝達具
７    出力発生具
８    自在継ぎ手
９    ハンドル
１０  加力点
１１  受け部
１２  復帰具
１３  自由転がり車輪
１４  席
１５  結束具
【図１】
2007099255.tif 000003